(57)【要約】【課題】多層光ディスクにおけるトラッキング誤差信号への層間干渉の影響を小規模な回路構成でトラッキング方式によらず直接的に評価可能とし、以って光ディスク装置が多層ディスクに記録する際の信頼性を向上すること。【解決手段】ディスク上の所定の層間干渉評価領域に光スポットを位置づけ、当該領域においてトラッキング誤差信号を検出し、所定の信号処理を行って層間干渉評価値を演算する手順によってトラッキング誤差信号の品質を評価する構成とする。【選択図】図１
2011150754.tif 000002
【特許請求の範囲】
【請求項１】
光ディスクの所定の情報記録層における第１の領域に対してユーザデータを記録または再生する光ディスク装置であって、
光源と、
該光源から放射された光束を光ディスクの複数の情報記録層のうち任意の層に集光する対物レンズと、
前記光ディスクからの反射光に基づいてトラッキング誤差信号を生成する回路と、を備え、
前記光ディスクの所定の情報記録層における第２の領域に光スポットを照射して前記トラッキング誤差信号を検出し、
該トラッキング誤差信号に基づいて前記光ディスクの層間干渉を評価することを特徴とする光ディスク装置。
【請求項２】
前記光ディスクにおける第２の領域は、バーコード方式によりディスク情報を記録する領域であることを特徴とする請求項１に記載の光ディスク装置。
【請求項３】
前記光ディスクにおける第２の領域のトラッキング誤差信号に対してガイド溝エッジ部を検出してゲート信号を生成する回路を備えることを特徴とする請求項１または請求項２に記載の光ディスク装置。
【請求項４】
前記光ディスクにおける第２の領域のガイド溝深さが前記光源の波長λと任意の整数ｍとにより概ね（ｍ＋１／２）λで表されることを特徴とする請求項１または請求項２に記載の光ディスク装置。
【請求項５】
球面収差量またはフォーカスオフセット量を少なくとも１回変更して、前記トラッキング誤差信号を複数回検出することを特徴とする請求項１から請求項４のいずれかに記載の光ディスク装置。
【請求項６】
前記トラッキング誤差信号に基づいて層間干渉評価値を算出し、該層間干渉評価値が所定の閾値を超えると記録を禁止することを特徴とする請求項１から請求項５のいずれかに記載の光ディスク装置。
【請求項７】
複数の情報記録層を備え、所定の情報記録層における第１の領域にユーザデータを記録または再生する光ディスクに対する光ディスク評価方法であって、
前記光ディスクの所定の情報記録層における第２の領域に光スポットを照射する工程と、
前記トラッキング誤差信号を検出する工程と、
該トラッキング誤差信号に基づいて前記光ディスクの層間干渉を評価する工程と、を含むことを特徴とする光ディスク評価方法。
【請求項８】
前記光ディスクにおける第２の領域は、バーコード方式によりディスク情報を記録する領域であることを特徴とする請求項７に記載の光ディスク評価方法。
【請求項９】
前記光ディスクにおける第２の領域のトラッキング誤差信号に対してガイド溝エッジ部を検出してゲート信号を生成する工程を含むことを特徴とする請求項７または請求項８に記載の光ディスク評価方法。
【請求項１０】
前記光ディスクにおける第２の領域のガイド溝深さが光源の波長λと任意の整数ｍとにより概ね（ｍ＋１／２）λで表されることを特徴とする請求項７または請求項８に記載の光ディスク評価方法。
【請求項１１】
球面収差量またはフォーカスオフセット量を少なくとも１回変更する工程と、
前記トラッキング誤差信号を複数回検出する工程と、を含むことを特徴とする請求項７から請求項１０のいずれかに記載の光ディスク評価方法。
【請求項１２】
複数の情報記録層を備え、所定の情報記録層における第１の領域にユーザデータを記録する光ディスクに対する光ディスク記録方法であって、
前記光ディスクの所定の情報記録層における第２の領域に光スポットを照射する工程と、
前記トラッキング誤差信号を検出する工程と、
該トラッキング誤差信号に基づいて前記光ディスクの層間干渉を評価する工程と、を含むことを特徴とする光ディスク記録方法。
【請求項１３】
前記光ディスクにおける第２の領域は、バーコード方式によりディスク情報を記録する領域であることを特徴とする請求項１２に記載の光ディスク記録方法。
【請求項１４】
前記光ディスクにおける第２の領域のトラッキング誤差信号に対してガイド溝エッジ部を検出してゲート信号を生成する工程を含むことを特徴とする請求項１２または請求項１３に記載の光ディスク記録方法。
【請求項１５】
前記光ディスクにおける第２の領域のガイド溝深さが光源の波長λと任意の整数ｍとにより概ね（ｍ＋１／２）λで表されることを特徴とする請求項１２または請求項１３に記載の光ディスク記録方法。
【請求項１６】
球面収差量またはフォーカスオフセット量を少なくとも１回変更する工程と、
前記トラッキング誤差信号を複数回検出する工程と、を含むこと特徴とする請求項１２から請求項１５のいずれかに記載の光ディスク記録方法。
【請求項１７】
前記トラッキング誤差信号に基づいて層間干渉評価値を算出する工程と、
該層間干渉評価値が所定の閾値を超えると記録を禁止する工程と、を含むことを特徴とする請求項１２から請求項１６のいずれかに記載の光ディスク記録方法。
【請求項１８】
複数の情報記録層を備え、各々の情報記録層に、ユーザデータを記録する第１の領域と、ガイド溝深さが、記録又は再生に用いられる光源の波長λと任意の整数ｍとにより概ね（ｍ＋１／２）λで表される第２の領域と、を備えることを特徴とする光ディスク。
【発明の詳細な説明】
【技術分野】
【０００１】
本発明は、光ディスクに係り、特に複数の情報記録層を具備した光ディスクの記録再生装置に関する。
【背景技術】
【０００２】
光ディスク上にメインスポットとサブスポットを１／２トラックずらして照射し、メインスポットによるプッシュプル信号（ＭＰＰ信号）からサブスポットによるプッシュプル信号（ＳＰＰ信号）を所定のゲインで増幅した信号を減算した信号（ＤＰＰ信号）をトラッキング誤差信号として用いる、所謂、差動プッシュプル方式（ＤＰＰ方式）と呼ばれるトラッキング方式は、対物レンズの半径方向変位に起因するトラッキングオフセットの抑制効果が高く、従来から広く用いられてきた。
【０００３】
一方で、多層光ディスクにおいて、ターゲットである情報記録再生層以外の層からの反射光が迷光として光検出器に入射してＤＰＰ信号が乱され、トラッキング制御が不安定となる場合があることが知られている。
【０００４】
特許文献１には、ＳＰＰ信号が記録再生層と別層との反射光の干渉によって揺らぐことでトラッキング誤差信号が乱されることが示唆されており、ＳＰＰ信号揺らぎ量の評価方法として、
「理想的にはＭＰＰ信号とＳＰＰ信号は同じ信号となるから、ＳＰＰ揺らぎ量はＭＰＰ信号とＳＰＰ信号の差分であると考えてよい。定義を以下に示す。
【０００５】
ΔＳＰＰ＝（ＳＰＰ−ＭＰＰ）／ＳＭＰＰ      （３）
ここで、ΔＳＰＰはある時刻におけるＳＰＰ揺らぎ量、ＳＭＰＰはＭＰＰ信号の振幅である。ΔＳＰＰは時刻ごとに変わる量であるから、適当な期間（例えばディスク１回転の時間）の分布を測定する必要がある。」と記載されている。
【先行技術文献】
【特許文献】
【０００６】
【特許文献１】特開２００７−３３５０４８号公報
【発明の概要】
【発明が解決しようとする課題】
【０００７】
近年、光ディスクの更なる大容量化のために情報記録層数を増やすことが検討されているが、その実現には層間隔の短縮が必須である。従来のＢｌｕ−ｒａｙＤｉｓｃ（以下、ＢＤと略称する）の２層ディスクでは層間隔は２５μｍ程度だったが、例えば４層化する場合には、層間隔を半分以下の１０μｍ程度にまで短縮することが必要となる。
【０００８】
ところが、層間隔が短縮されるほど、前述した記録再生層以外の層からの反射光強度は大きくなるので、トラッキング誤差信号の乱れが大きくなるという問題がある。しかも干渉による揺らぎについては、互いに干渉する光の強度差が小さいほど急激に変化する特徴があるため、ディスクの層間隔のばらつきがクリティカルに影響することが懸念される。即ち、ディスク製造上の公差として生じた層間隔のわずかな違いによって、あるディスクはトラッキング制御が安定だが別のディスクでは不安定ということが起こり得る。あるいは逆に、同一のディスクに対して、ある光ディスク装置ではトラッキング制御が安定だが別の装置では不安定ということが起こり得る。
トラッキング制御が不安定となるディスクにデータを記録すると誤記録してしまう可能性が高いので、事前に装着されたディスクにおけるトラッキング誤差信号の品質を評価して評価結果に応じた処理を行うことは、光ディスク装置として記録品質を確保するのに有効であり、特許文献１には評価指標としてΔＳＰＰが開示されている。
【０００９】
しかしながら、特許文献１に記載の従来技術は、ＤＰＰ方式以外のトラッキング方式には対応していなかった。また、間接的な評価であり、ＭＰＰ信号が層間干渉の影響を受けないことが前提となっているため、該評価指標とトラッキング誤差信号品質との相関性が保障されている必要があった。また、ＳＰＰとＭＰＰをそれぞれサンプリングし、例えばディスク１周分の所定の期間のデータを保存するメモリが必要なので、光ディスク装置に実装するための回路規模が比較的大きかった。
【００１０】
以上を鑑みて、本発明の目的は、トラッキング誤差信号への層間干渉の影響を小規模な回路構成でトラッキング方式によらず直接的に評価可能とし、光ディスク装置が多層ディスクに記録する際の信頼性を向上することにある。
【課題を解決するための手段】
【００１１】
上述の課題を解決するために、本発明では特許請求の範囲記載の構成を用いる。一例として、図１に示すフローチャートに従って、ディスク上の所定の層間干渉評価領域に光スポットを位置づけ、当該領域においてトラッキング誤差信号を検出し、所定の信号処理を行って層間干渉評価値を演算する手順によりトラッキング誤差信号の品質を評価する構成とした。
【発明の効果】
【００１２】
本発明によれば、トラッキング方式によらずトラッキング誤差信号への層間干渉の影響を小規模な回路構成で評価可能であり、多層ディスクに対する光ディスク装置の記録信頼性が向上する。
【図面の簡単な説明】
【００１３】
【図１】本発明における層間干渉評価手順を示すフローチャートである。
【図２】第１実施例における光ディスク装置のブロック図である。
【図３】第１実施例における光ディスクのＢＣＡにおけるトラッキング誤差信号の概念図である。
【図４】第１実施例における層間干渉評価回路のブロック図である。
【図５】第１実施例における層間干渉評価手順を示すフローチャートである。
【図６】第２実施例における層間干渉評価回路のブロック図である。
【図７】第３実施例における層間干渉評価回路のブロック図である。
【図８】第３実施例における層間干渉評価手順を示すフローチャートである。
【図９】第４実施例における光ディスクの層間干渉評価領域のトラック構造の概略図および該層間干渉評価領域におけるトラッキング誤差信号の概念図である。
【発明を実施するための形態】
【実施例１】
【００１４】
本発明の実施例としての多層光ディスク記録再生装置の構成ならびに動作を、図面を参照しながら説明する。
【００１５】
図２は第１実施例における光ディスク装置のブロック図である。本実施例の光ディスク装置は、光ピックアップ１０と、スピンドルモータ３０と、スライダ機構３１と、システム制御回路４０と、サーボ制御回路４１と、エンコーダ４２と、サーボ信号生成回路４３と、再生信号生成回路４４と、再生信号２値化回路４５と、デコーダ４６と、層間干渉評価回路５０と、を備える。
【００１６】
ここで光ピックアップ１０は、ＢＤの対応波長である４０５ｎｍ帯のレーザ光源１１と、このレーザ光源から放射された光束を平行光束に変換するコリメートレンズ１２と、光束を透過及び反射するビームスプリッタ１３と、装着された光ディスク２０のカバー層厚さに応じて平行光束の球面収差を調整する球面収差補正手段１８と、平行光束を集光し光ディスク２０の所定の情報記録層に所定のＮＡ且つ所定の収差量以下で光スポットを形成する対物レンズ１４と、この対物レンズ１４をフォーカシング方向及びトラッキング方向に変位させるための対物レンズアクチュエータ１５と、光ディスク２０からの反射光束を所定の収束光束に変換する検出レンズ１６と、この収束光束を受光して電気信号に変換する光検出器１７と、を備える。
【００１７】
システム制御回路４０は、本実施例の光ディスク装置全体の動作を制御する機能を備えている。即ち、サーボ制御回路４１を介して、スピンドルモータ３０に装着された光ディスク２０の回転制御を行い、スライダ機構３１を駆動して光ピックアップ１０を光ディスク２０の半径方向に変位させるアクセス制御及び送り制御を行い、光ピックアップ１０に搭載されている対物レンズアクチュエータ１５を駆動して対物レンズ１４のフォーカス制御及びトラッキング制御を行い、同じく光ピックアップ１０に搭載されている球面収差補正手段１８を駆動して球面収差を補正する。
【００１８】
また、システム制御回路４０は、光ピックアップ１０に搭載されたレーザ光源の発光制御を行う。記録時には、記録データ信号がエンコーダ４２によって所定の変調規則によるＮＲＺＩ信号に変換されてシステム制御回路４０供給され、システム制御回路４０はこのＮＲＺＩ信号に対応した発光パルス列（記録ストラテジ）に変換して、所定の光強度及びパルス幅でレーザ光源１を発光させる。
【００１９】
光ディスク２０のからの反射光束は光検出器１７で受光されて電気信号に変換され、サーボ信号生成回路４３及び再生信号生成回路４４に送られる。サーボ信号生成回路４３では、装着された光ディスク２０に好適な検出方法を選択して各種のサーボ信号を生成し、Ａ／Ｄコンバータにより標本化及び量子化を行ってデジタル信号に変換し、システム制御回路４０に供給する。サーボ信号にはフォーカス誤差信号とトラッキング誤差信号とが含まれる。システム制御回路４０では、これらサーボ信号に基づき、前述したようにサーボ制御回路４１を介して対物レンズアクチュエータ１５を駆動し、フォーカスサーボ及びトラッキングサーボを動作させる。また、サーボ信号生成回路４３で生成されたプッシュプル信号の振幅や再生信号生成回路４４を介して供給された再生信号の振幅に基づいて、サーボ制御回路４１を介して球面収差補正手段１８を駆動し、光ディスク２０のカバー層厚さに対応して球面収差を補正する。
【００２０】
また、サーボ信号生成回路４３は層間干渉評価回路５０にトラッキング誤差信号を供給する。本実施例においては、ディスクの溝構造に起因するプッシュプル信号に基づいてトラッキング誤差信号を生成する。ただし、必ずしも前述のＤＰＰ方式である必要はなく、例えば、レンズ位置信号を用いてプッシュプル信号を補正する方式であってもよい。層間干渉評価回路５０の構成及び動作については後ほど詳述する。
【００２１】
再生信号生成回路４４は、波形等化回路とＡ／Ｄコンバータとを備えており、光ピックアップ１０から供給されたアナログの再生信号に対して、所定の波形等化処理の後、標本化及び量子化を行ってデジタル信号に変換し、再生信号２値化回路４５に供給する。
【００２２】
再生信号２値化回路４５は、ＰＲＭＬ方式による再生回路であって、トランスバーサルフィルタとビタビ復号回路とを備える。再生信号生成回路４４から供給されたデジタル信号は、トランスバーサルフィルタで所定のＰＲクラスに等化される。ビタビ復号回路は最尤復号を行ってこの等化波形を所定の変調規則によるＮＲＺＩ信号に変換する。このＮＲＺＩ信号は、デコーダ４６によって所定の変調規則に基づいて再生データ信号に変換される。
【００２３】
なお、再生信号２値化回路４５は、ＰＲＭＬ方式に限定されるものではなく、レベルスライス方式による再生回路で構成してもよい。
【００２４】
次に本実施例における層間干渉評価方法について説明する。
本実施例においては、図１のフローチャートに示すように、層間干渉評価領域におけるトラッキング誤差信号に基づいて層間干渉評価を行うが、本実施例における層間干渉評価領域は、特に、バーストカッティング領域（ＢＣＡ）である。ＢＣＡは基本的なディスク情報をバーコード状のデータとして記録しておくためにディスクの内周部に設けられた領域であって、トラック構造が通常のデータ記録領域とは異なっている。ＢＤにおいては、通常のデータ記録領域におけるガイド溝のトラックピッチは０．３２μｍであり、ＢＣＡのガイド溝のトラックピッチは２．０μｍである。
【００２５】
図３は第１実施例における光ディスク２０のＢＣＡにおけるトラッキング誤差信号の概念図である。本実施例では前述のとおりプッシュプル信号に基づいてトラッキング誤差信号を生成するが、ＢＣＡにおいては通常のデータ記録領域のように連続した正弦波状のプッシュプル信号は現れず、ガイド溝エッジ部にのみ単独でＳ字状のプッシュプル信号が現れ、ガイド溝−ガイド溝間の平坦部においてはプッシュプル信号としての成分は現れない。本実施例においては、斯様な信号に基づいて層間干渉を評価する。
【００２６】
図４は第１実施例における層間干渉評価回路５０のブロック図である。オフセット・ゲイン調整回路５１において、サーボ信号生成回路４３から供給されたトラッキング誤差信号のオフセットを除去し、所定のゲインで増幅する。反射率やプッシュプル信号の変調度はディスクによって違いがあるので、規格化して評価するためにゲインは変更が可能である。ゲイン設定については、まず、図３に示したトラッキング誤差信号における溝エッジ部に発生するＳ字状の信号振幅が飽和しない範囲で所定の値となるようにゲインを調整してエッジ検出回路５２に供給する。また、該規格化した信号を定数倍のゲインで増幅することにより、規格化しつつ平坦部を増幅してサンプリング回路５４に供給する。
【００２７】
エッジ検出回路５２は、トラッキング誤差信号のレベル変化を観測し、例えば所定の閾値レベルを超えたことによってガイド溝エッジ部のＳ字状の信号を検出すると、ゲート信号生成回路５３に検出信号を送る。
【００２８】
ゲート信号生成回路５３は、エッジ検出回路５２からの検出信号を受け取ると、所定時間後にゲート信号をオンし、更に所定時間後にゲート信号をオフにする。即ち、ゲート信号がオンになっている間はトラッキング誤差信号が平坦部であるようにゲート信号を生成する。なお前述のエッジ検出後にゲートをオンおよびオフする時間は、光スポットがトラックを横断する速さが必ずしも一定ではないことを考慮して設定する。
【００２９】
サンプリング回路５４はゲート信号がオンの間、規格化且つ増幅されたトラッキング誤差信号をサンプリングし、数値化してメモリ回路５５に蓄積する。
指標値演算回路５６は、メモリ回路５５に蓄積されたトラッキング誤差信号のデータに対して所定の演算を施し、層間干渉の指標値を出力する。具体的な演算方法としては、最大偏差（Ｐ−Ｐ）、標準偏差（σ）、パワー（ＲＭＳ）などであり、信号変動を定量化する。
【００３０】
図５は第１実施例における層間干渉評価の手順を示すフローチャートであり、図１に示したフローチャートにおける各処理を細分化したものである。
まず、ステップ１０３として、対物レンズアクチュエータ１５を駆動して光ディスク２０の層間評価を実施する情報記録層に光スポットをフォーカスする。この時点で球面収差およびフォーカスオフセットは評価対象の情報記録層に合わせて調整するか、予め用意しておいた値に設定する。
次いで、ステップ１０４としてスライダ機構３１を駆動して光ピックアップ１０移動し、光スポットを光ディスク２０の層間評価領域に位置づける。
【００３１】
ステップ１０５として、トラッキング誤差信号を取得する。また、前述したように取得したトラッキング信号を層間干渉評価回路５０に供給しオフセット・ゲイン調整回路５１においてオフセット及びゲインを調整する。
【００３２】
ステップ１０６として、エッジ検出回路５２においてガイド溝エッジ部を検出し、ゲート信号生成回路５３によりゲート信号を生成する。このゲート信号は、前述したとおり、オンの間のトラッキング誤差信号は平坦部であるように生成する。
【００３３】
ステップ１０７として、ゲート信号がオンになっている間、サンプリング回路５４にてトラッキング誤差信号をサンプリングし、数値化してメモリ回路５５に蓄積する。
【００３４】
ステップ１０８として測定終了判定を行う。所定の回数測定が実行されると測定終了としてステップ１０９に移行し、それまではステップ１０６に戻って再度測定を行う。測定回数については、回数が多いほど精度の向上が期待できる一方でメモリ回路５５が大きくなることを勘案して予め決定しておく。
【００３５】
ステップ１０９として、指標値演算回路５６においてメモリ回路５５に蓄積されているデータに対して所定の演算を行ない、層間干渉指標値としてシステム制御回路４０に送る。
【００３６】
ステップ１１０として評価終了判定を行う。システム制御回路４０が層間干渉指標値の妥当性を判定し、異常な場合には再評価を行う。あるいは球面収差やフォーカスオフセットを所定量変化させて条件を変えながら評価を繰り返し行うことで、あるいは単純に繰り返し測定をすることで、メモリ回路５５の規模増大を抑制しつつ測定精度の向上を図ることができる。
【００３７】
システム制御回路４０は層間干渉指標値に基づいて、装着されたディスク２０のトラッキング誤差信号の品質を評価する。そして、所定の品質を満足しないと判断すると記録を禁止する等の処理を行う。
【００３８】
以上述べたように、本実施例によれば、ＢＤと同様のＢＣＡ構造を備えた光ディスクに対して、トラッキング誤差信号への層間干渉の影響を小規模な回路構成でトラッキング方式によらず直接的に評価可能である。また、光ディスク装置として多層ディスクに記録する際の信頼性を向上することができる。
【００３９】
なお本実施例においては、層間干渉評価回路５０として指標値演算回路５６を備える構成を示したが、本発明はこれに限るものではない。メモリ回路５５にシステム制御回路４０が直接アクセスすることを可能に構成し、システム制御回路４０において層間干渉指標値を演算するように構成してもよい。
更には、本実施例の如くサーボ信号のデジタル処理を前提にすると、本実施例における層間干渉評価回路５０におけるオフセット・ゲイン調整回路５１、サンプリング回路５４、メモリ回路５５はサーボ信号処理のための回路との兼用が可能であり、回路を共通化することで回路規模を縮小できる。
【実施例２】
【００４０】
図６に本発明の第２実施例における層間干渉評価回路のブロック図を示す。本実施例はメモリ回路を持たない構成例であり、以下に動作を説明する。なお、光ディスク装置としての構成及び評価手順については第１実施例と同様であり説明を省略する。
【００４１】
第１実施例と同様に、オフセット・ゲイン調整回路５１において、サーボ信号生成回路４３から供給されたトラッキング誤差信号のオフセットを除去し、所定のゲインで増幅する。また、エッジ検出回路５２は、トラッキング誤差信号のレベル変化を観測し、例えば所定の閾値レベルを超えたことによってガイド溝エッジ部のＳ字状のプッシュプル信号を検出すると、ゲート信号生成回路５３に検出信号を送る。ゲート信号生成回路５３は、エッジ検出回路５２からの検出信号を受け取ると、所定時間後にゲート信号をオンし、更に所定時間後にゲート信号をオフにする。即ち、ゲート信号がオンになっている間はトラッキング誤差信号が平坦部であるようにゲート信号を生成する。
【００４２】
整流回路５７はオフセット及びゲインが調整されたトラッキング誤差信号に対し、負の信号成分を正の信号に反転させる。
【００４３】
積分回路５８はゲート信号生成回路５３からのゲート信号がオンの間、整流回路５７で整流されたトラッキング誤差信号に対して積分を実行する。
【００４４】
指標値演算回路５６は積分回路５７から出力された信号を数値化する。
【実施例３】
【００４５】
図７に本発明の第３実施例における層間干渉評価回路のブロック図を示す。エッジ検出回路とゲート信号生成回路とを備えていない点が第１実施例と異なっている。なお、光ディスク装置としての構成は第１実施例と同様であり説明を省略する。
【００４６】
第１実施例と同様に、オフセット・ゲイン調整回路５１において、サーボ信号生成回路４３から供給されたトラッキング誤差信号のオフセットを除去し、所定のゲインで増幅する。
【００４７】
サンプリング回路５４は、所定の時間、規格化且つ増幅されたトラッキング誤差信号をサンプリングし、数値化してメモリ回路５５に蓄積する。本実施例においてはガイド溝エッジ部の信号もそのままサンプリングしてメモリに蓄積する。
指標値演算回路５６は、メモリ回路５５に蓄積されたトラッキング誤差信号のデータ中のガイド溝エッジ部に該当するデータを検出して除外処理を行う。非エッジ部のデータに対して第１実施例と同様に所定の演算を施し、層間干渉の指標値を出力する。
【００４８】
図８は第３実施例における層間干渉評価の手順を示すフローチャートであり、図１に示したフローチャートにおける各処理を細分化したものである。
第１実施例と同様に、ステップ１０３として、対物レンズアクチュエータ１５を駆動してディスク２０に層間評価を実施する情報記録層に光スポットをフォーカスオンし、球面収差およびフォーカスオフセットを評価対象の情報記録層に合わせて設定する。ステップ１０４としてスライダ機構３１を駆動して光ピックアップ１０移動し、光スポットを光ディスク２０の層間評価領域に位置づける。ステップ１０５として、トラッキング誤差信号を取得し、層間干渉評価回路５０に供給してオフセット・ゲイン調整回路５１においてオフセット及びゲインを調整する。
【００４９】
ステップ１１１として、サンプリング回路５４において、前述したようにオフセット及びゲインを調整したトラッキング誤差信号を所定の時間サンプリングし、メモリ回路５５に蓄積する。
ステップ１１２として、指標値演算回路５６において、前述したようにメモリ回路５５に蓄積されたトラッキング誤差信号のデータ中のガイド溝エッジ部をマスクする。非エッジ部のデータに対して第１実施例と同様に所定の演算を施し、層間干渉の指標値を出力する。
【００５０】
ステップ１１０として、第１実施例と同様に評価終了判定を行う。
なお本実施例においても、第１実施例と同様に、メモリ回路にシステム制御回路が直接アクセス可能とし、システム制御回路において層間干渉指標値を演算するように構成してもよい。
更に本実施例においては、層間干渉評価回路は全てサーボ信号処理のための回路と兼用可能であることから、共通化した回路において本実施例の動作を行うことによって層間干渉評価が可能である。
【実施例４】
【００５１】
図９に本発明の第４実施例における光ディスクの層間干渉評価領域のトラック構造の概略図および該層間干渉評価領域におけるトラッキング誤差信号の概念図を示す。
レーザ光源１１の波長をλとし、任意の整数をｍとすると、本実施例におけるガイド溝の深さは概ね（ｍ＋１／２）λで表現できる構成とする。
即ち、本実施例においては層間干渉評価領域においてプッシュプル信号は振幅成分を持たない直流的な信号であり、従って該プッシュプル信号に基づいて生成されるトラッキング誤差信号も直流的な信号である。溝構造のエッジ部における信号成分を持たないため、エッジ部の検出及び除外処理を必要としない。
そこで、本実施例において光ディスク装置としての構成は第１実施例と同様とし、層間干渉評価回路については図７に示した第３実施例と同様に構成する。
【００５２】
動作の詳細については省略するが、層間干渉評価領域におけるトラッキング誤差信号がガイド溝エッジ部においても振幅成分を持たないよう構成したことにより当該エッジ部の除外処理を行わない。
即ち、第３実施例と同様に、オフセット・ゲイン調整回路５１においてオフセットを除去するとともに規格化且つ増幅したトラッキング誤差信号を、サンプリング回路５４で、所定の時間、ガイド溝エッジ部についても特段の処理を行わずにサンプリングし、数値化してメモリ回路５５に蓄積する。指標値演算回路５６において、メモリ回路５５に蓄積されたトラッキング誤差信号のデータに対して所定の演算を施し、層間干渉の指標値を出力する。
【００５３】
なお、本実施例においては層間干渉評価領域のトラック構造として溝深さが（ｍ＋１／２）λの構成を示したが、本発明はこれに限るものではなく、プッシュプル信号の振幅成分を持たない構成であればよい。例えば溝構造のない平板構造であってもよいし、あるいはトラックピッチが光スポットの回折限界以下となる構成であってもよい。
【００５４】
また、本実施例における層間干渉評価領域はＢＣＡであってもよいし、ＢＣＡでなくてもよい。ディスク上の位置についても通常のデータ領域の内周側に限定されるものではない。
【００５５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５６】
１０・・・光ピックアップ、１１・・・レーザ光源、１２・・・コリメートレンズ、１３・・・ビームスプリッタ、１４・・・対物レンズ、１５・・・対物レンズアクチュエータ、１６・・・検出レンズ、１７・・・光検出器、１８・・・球面収差補正手段、２０・・・光ディスク、３０・・・スピンドルモータ、３１・・・スライダ機構
【図１】
2011150754.tif 000003
【図２】
2011150754.tif 000004
【図３】
2011150754.tif 000005
【図４】
2011150754.tif 000006
【図５】
2011150754.tif 000007
【図６】
2011150754.tif 000008
【図７】
2011150754.tif 000009
【図８】
2011150754.tif 000010
【図９】
2011150754.tif 000011